(57)【要約】【課題】夾雑物が混入した液体から夾雑物を良好に除去することが可能であるとともに、流入する液体の水量が装置の許容量を超えた場合に、その液体を下流側に安全に放流することが可能な夾雑物除去装置を提供する。【解決手段】本考案の夾雑物除去装置１は、枠体２が、第一の枠体４と、第一の枠体４に揺動可能な状態で接続され、かつ捕捉ネット３が配設された第二の枠体５と、捕捉ネット３を介して第二の枠体５に作用する応力が所定の値になるまで、第二の枠体５を液体の流れ方向９に垂直となるように第一の枠体４に保持する保持部６と、を有するとともに、捕捉ネット３が、液体の流れ方向９の下流側に向けて袋状に展開する形状であり、捕捉ネット３を介して第二の枠体５に作用する応力が所定の値を超えた際に、第二の枠体５の保持が解除されて、第二の枠体５が液体の流れ方向９に向けて可動するものである。【選択図】図１
0003118714.tif 000002
【実用新案登録請求の範囲】
【請求項１】
夾雑物が混入した液体が通過する流路の内部に配設された枠体と、前記枠体に配設された捕捉ネットとを備え、前記捕捉ネットによって前記液体に含まれる夾雑物を捕捉し、前記液体から夾雑物を除去する夾雑物除去装置であって、
前記枠体が、前記流路の内部に固定された第一の枠体と、前記第一の枠体に揺動可能な状態で接続され、かつ前記捕捉ネットが配設された第二の枠体と、前記液体の流れによって前記捕捉ネットを介して前記第二の枠体に作用する応力が所定の値になるまで、前記第二の枠体を前記液体の流れ方向に垂直となるように前記第一の枠体に保持する保持部と、を有するとともに、
前記捕捉ネットが、前記液体の流れ方向の下流側に向けて袋状に展開する形状であり、
前記液体の流れによって前記捕捉ネットを介して前記第二の枠体に作用する前記応力が前記所定の値を超えた際に、前記第二の枠体の保持が解除されて、前記第二の枠体が前記応力により前記液体の流れ方向に向けて可動する夾雑物除去装置。
【請求項２】
汚水と雨水とを合わせて流す合流式下水道の内部に配設された請求項１に記載の夾雑物除去装置。
【請求項３】
前記捕捉ネットが、前記枠体に着脱可能に配設された請求項１又は２に記載の夾雑物除去装置。
【請求項４】
前記第二の枠体が、軸受けによって前記第一の枠体に揺動可能な状態で接続された請求項１〜３のいずれかに記載の夾雑物除去装置。
【請求項５】
前記合流式下水道の吐口近傍に配設された請求項２〜４のいずれかに記載の夾雑物除去装置。
【考案の詳細な説明】
【技術分野】
【０００１】
本考案は、夾雑物除去装置に関する。さらに詳しくは、夾雑物が混入した液体から夾雑物を良好に除去することが可能であるとともに、流入する液体の水量が装置の許容量を超えた場合に、流入する液体を下流側に安全に放流することが可能な夾雑物除去装置に関する。
【背景技術】
【０００２】
現在、我国の大都市の大半の下水道において、汚水と雨水とを合わせて流す合流式下水道が採用されている。この合流式下水道は、汚水と雨水とを同一の下水管で排水する下水道であり、雨天時には、汚水と雨水とが混合した大量の下水が下水管に流入する。
【０００３】
このような合流式下水道において、雨水を含むを大量の下水の全てを下水処理場まで集めて処理することは、物理的にも経済的にも困難である。このため、合流式下水道に流入する下水の量が、合流式下水道の下水管及び合流式下水道に連なる下水処理場の処理能力を超えた場合には、合流式下水道の途中に設けられた吐口から、処理能力を超えた分の下水を未処理の状態で河川等の公共用水域に放流している。
【０００４】
このように未処理の状態で河川等の公共用水域に放流された下水には、雨水で希釈されてはいるものの、生活雑排水や工場排水等が含まれており、これらの排水等に含まれる汚濁物質、特に、オイルボール、トイレ紙、生ゴミ等の夾雑物を含む汚濁物質による放流先の公共用水域に与える影響は甚大であり、地球規模の環境保護の観点からも、このような夾雑物によって放流先の水質が汚濁するのを有効に防止することが焦眉の急の国家的課題となっている。
【０００５】
このため、合流式下水道から未処理の状態で放流される下水に含まれる、オイルボール、トイレ紙、生ゴミ等の夾雑物を除去するための夾雑物除去装置としては、例えば、合流式下水道用スクリーン装置が提案されている（例えば、特許文献１参照）。
【０００６】
この特許文献１に示す合流式下水道用スクリーン装置は、夾雑物を含む下水が流入する流入路と夾雑物を取り除いた下水を放流する流出路とが越流堰によって仕切られ、越流堰上に設置されたベルト駆動軸及びベルト従動軸と、ベルト駆動軸に取り付けられたスプロケット及びベルト従動軸に設けられた環状回転部材と、スプロケット及び環状回転部材間に掛け渡され、ベルト駆動軸の駆動により一面が流入路に沿って走行する無端スクリーンベルトとを備え、流入路に面する側のスクリーンベルトを流入路の下流方向に走行させて、流出路への夾雑物の流入を阻止する合流式下水道用スクリーン装置において、流入路側に面するスクリーンベルトの巻込部に少なくとも１つの剥離ロータを流入路側に突出させて配置したものである。
【特許文献１】特開２００４−１６２４５６号公報
【考案の開示】
【考案が解決しようとする課題】
【０００７】
しかしながら、このような従来の夾雑物除去装置は、製造コストや設置コスト等の観点から、一般的な降雨量の際における水量に対応して製造されているために、例えば、台風等の襲来により降雨量が非常に多くなり、夾雑物除去装置に許容量以上の大量の下水が流入した場合には、この夾雑物除去装置が排水の抵抗となり、流入した下水が夾雑物除去装置を超えて下流側に流れ出してしまう。このように、従来の夾雑物除去装置においては、降雨量が非常に多くなった場合に正常な排水が確保できず、安全性の面において問題があった。
【０００８】
また、上述したように夾雑物除去装置に許容量以上の下水が流入した場合には、一旦除去した夾雑物が大量の下水とともに下流側に再度流出し、放流先の水質を汚濁してしまうという問題もあった。
【０００９】
さらに、合流式下水道は大都市の大半の下水道において採用されているため、この合流式下水道の吐口は非常に複数存在している。従来の夾雑物除去装置は非常に複雑な構造であり、装置一台が非常に高価である。このため、実際に合流式下水道を管理する自治体等の財政状況等から考えても、合流式下水道の吐口の全てに対して、このような従来の夾雑物除去装置を設置することは実現不可能であるという問題があった。このようなことから、簡易な構造であるとともに安価に配設することが可能な夾雑物除去装置の開発が切望されていた。
【００１０】
本考案は、上述した問題に鑑みてなされたものであり、夾雑物が混入した液体から夾雑物を良好に除去することが可能であるとともに、流入する液体の水量が装置の許容量を超えた場合に、流入する液体を下流側に安全に放流することが可能な夾雑物除去装置を提供する。
【課題を解決するための手段】
【００１１】
本考案は、以下の夾雑物除去装置を提供する。
【００１２】
［１］  夾雑物が混入した液体が通過する流路の内部に配設された枠体と、前記枠体に配設された捕捉ネットとを備え、前記捕捉ネットによって前記液体に含まれる夾雑物を捕捉し、前記液体から夾雑物を除去する夾雑物除去装置であって、前記枠体が、前記流路の内部に固定された第一の枠体と、前記第一の枠体に揺動可能な状態で接続され、かつ前記捕捉ネットが配設された第二の枠体と、前記液体の流れによって前記捕捉ネットを介して前記第二の枠体に作用する応力が所定の値になるまで、前記第二の枠体を前記液体の流れ方向に垂直となるように前記第一の枠体に保持する保持部と、を有するとともに、前記捕捉ネットが、前記液体の流れ方向の下流側に向けて袋状に展開する形状であり、前記液体の流れによって前記捕捉ネットを介して前記第二の枠体に作用する前記応力が前記所定の値を超えた際に、前記第二の枠体の保持が解除されて、前記第二の枠体が前記応力により前記液体の流れ方向に向けて可動する夾雑物除去装置。
【００１３】
［２］  汚水と雨水とを合わせて流す合流式下水道の内部に配設された前記［１］に記載の夾雑物除去装置。
【００１４】
［３］  前記捕捉ネットが、前記枠体に着脱可能に配設された前記［１］又は［２］に記載の夾雑物除去装置。
【００１５】
［４］  前記第二の枠体が、軸受けによって前記第一の枠体に揺動可能な状態で接続された前記［１］〜［３］のいずれかに記載の夾雑物除去装置。
【００１６】
［５］  前記合流式下水道の吐口近傍に配設された前記［２］〜［４］のいずれかに記載の夾雑物除去装置。
【考案の効果】
【００１７】
本考案の夾雑物除去装置は、夾雑物が混入した液体から夾雑物を良好に除去することが可能であるとともに、流入する液体の水量が装置の許容量を超えた場合に、流入する液体を下流側に安全に放流することができる。
【００１８】
さらに、本考案の夾雑物除去装置は、簡易な構造であり、下水道等に設置するコストが安く済むことから、例えば、現在、夾雑物除去の対策が未だなされていない複数の吐口を有する合流式下水道に対して好適に配設することが可能であり、合流式下水道の放流先の水質の汚濁を有効に防止することができる。
【考案を実施するための最良の形態】
【００１９】
以下、本考案の夾雑物除去装置の実施の形態を、図面を参照しながら詳細に説明するが、本考案は、これに限定されて解釈されるものではなく、本考案の範囲を逸脱しない限りにおいて、当業者の知識に基づいて、種々の変更、修正、改良を加え得るものである。
【００２０】
図１は、本考案の夾雑物除去装置の一の実施の形態を模式的に示す平面図であり、図２は、図１に示す夾雑物除去装置のＡ−Ａ線断面図である。また、図３は、図１に示す夾雑物除去装置のＢ部拡大図であり、図４は、図２に示す夾雑物除去装置のＣ部拡大図である。
【００２１】
図１〜図４に示すように、本考案の夾雑物除去装置１は、夾雑物が混入した液体が通過する流路７の内部に配設された枠体２と、この枠体２に配設された捕捉ネット３と、を備え、捕捉ネット３によって液体に含まれる夾雑物を捕捉し、液体から夾雑物を除去する夾雑物除去装置１である。
【００２２】
本考案の夾雑物除去装置１は、枠体２が、流路７の内部に固定された第一の枠体４と、第一の枠体４に揺動可能な状態で接続され、かつ捕捉ネット３が配設された第二の枠体５と、液体の流れによって捕捉ネット３を介して第二の枠体５に作用する応力が所定の値になるまで、第二の枠体５を液体の流れ方向９に垂直となるように第一の枠体４に保持する保持部６と、を有するとともに、捕捉ネット３が、液体の流れ方向９の下流側に向けて袋状に展開する形状であり、液体の流れによって捕捉ネット３を介して第二の枠体５に作用する応力が所定の値を超えた際に、第二の枠体５の保持が解除されて、第二の枠体５がその応力により液体の流れ方向９に向けて可動するものである。
【００２３】
このように構成することによって、本実施の形態の夾雑物除去装置１は、夾雑物が混入した液体から夾雑物を良好に除去することが可能であるとともに、夾雑物除去装置１に流入する液体の水量が許容量を超えた場合に、その液体を下流側に安全に放流することができる。
【００２４】
本実施の形態の夾雑物除去装置１は、例えば、汚水と雨水とを合わせて流す合流式下水道の内部に配設し、オイルボール、トイレ紙、生ゴミ、タバコの吸殻、木の枝等の夾雑物の除去に好適に用いることができる。
【００２５】
本実施の形態の夾雑物除去装置１は、簡易な構造であるとともに安価に配設することができることから、例えば、現在、その対策が未だなされていない複数の吐口を有する合流式下水道に対して好適に配設することが可能であり、このような合流式下水道の吐口の放流先の水質の汚濁を有効に防止することができる。特に、本実施の形態の夾雑物除去装置１は、このような合流式下水道の吐口近傍に配設して用いることが好ましい。
【００２６】
本実施の形態の夾雑物除去装置１を構成する枠体２は、第一の枠体４と、この第一の枠体４に揺動可能な状態で接続された第二の枠体５と、第二の枠体５を液体の流れ方向９に垂直となるように第一の枠体４に保持する保持部６と、を有していることから、第二の枠体５が液体の流れ方向９に向けて可動できるように構成されている。
【００２７】
第一の枠体４は、下水管等の流路７の内部にアンカー１０等によって固定されたものであり、図１に示す夾雑物除去装置１においては、断面が円形状の流路７における底側の略四分の一の部位に配設された円弧状の枠体である。
【００２８】
第二の枠体５は、第一の枠体４に揺動可能な状態で接続され、かつ捕捉ネット３が配設されたものであり、図１に示す夾雑物除去装置１においては、円弧状の第一の枠体４における上方の両端部にて揺動可能な状態で接続されている。
【００２９】
図１〜図４に示す第二の枠体５には、流路７の上方側（天井側）から底側に向けて比較的広い間隔で格子が配設されており、さらに、流路７を通過する液体の流れ方向９に垂直な面（第二の枠体によって規定される面）に捕捉ネット３が配設されている。
【００３０】
また、特に限定されることはないが、第二の枠体５を第一の枠体４に揺動可能に接続する接続部分は、例えば、シャフト１１等によって構成された軸受けであることが好ましい。なお、本実施の形態の夾雑物除去装置１においては、着脱可能なシャフト１１によって第一の枠体４に揺動可能に接続されたものであることがさらに好ましい。このように構成することによって、第二の枠体５を第一の枠体４から簡便に取り外すことができ、夾雑物除去装置１の清掃や、捕捉ネット３に捕捉された夾雑物の廃棄が容易になる。
【００３１】
第一の枠体４及び第二の枠体５の材料については特に制限はないが、耐食性及び耐久性に優れるとともに、高い機械的強度を有することから、例えば、ステンレス、繊維強化プラスティック（ＦＲＰ）等を好適例として挙げることができる。
【００３２】
第二の枠体５に配設された捕捉ネット３は、液体に含まれる夾雑物を捕捉するためのスクリーンであり、例えば、入手がし易く経済性に優れ、かつ取り扱いの容易なポリエチレン製のネットを好適に用いることができる。この捕捉ネット３は、第二の枠体５によって規定される面よりも大きなネットを使用して、図５に示すように液体の流れ方向９の下流側に向けて袋状に展開するように、第二の枠体５に配設する。このように、捕捉ネット３が袋状に展開するものとすることにより、液体に含まれる夾雑物を良好にかつ大量に捕捉することができ、下水等の液体から夾雑物を好適に除去することができる。また、このように捕捉ネット３が袋状に展開することにより、単にネットを平面とした場合と比較して、捕捉ネット３を構成するネットの表面積が増大することから、捕捉ネット３及び捕捉した夾雑物による濾過抵抗の増加を抑制することができる。ここで、図５は、図２に示す夾雑物除去装置において、捕捉ネットが袋状に展開した状態を示す断面図である。また、例えば、本実施の形態の夾雑物除去装置１においては、金属製のネット（網）を捕捉ネット３として用いることもできる。
【００３３】
また、このように捕捉ネット３が袋状に展開するため、一旦捕捉した夾雑物が捕捉ネット３から逃れ出ることを有効に防止することができ、例えば、合流式下水道の吐口等に設置した場合には、夾雑物による放流先の水質の汚濁を有効に防止することができる。
【００３４】
捕捉ネット３は、枠体２、具体的には、第二の枠体５に、脱可能に配設されていることが好ましい。このように構成することによって、捕捉ネット３によってある程度の量の夾雑物を除去した場合に、第二の枠体５から捕捉ネット３を取外し、捕捉した夾雑物を簡便かつ確実に廃棄することができる。
【００３５】
また、図示は省略するが、本実施の形態の夾雑物除去装置を構成する捕捉ネットは、例えば、第二の枠体と略同一の大きさの捕捉ネット用の枠体を有するものであってもよい。このように、ネット単独で第二の枠体に固定するものとせずに、この捕捉ネット用の枠体にポリエチレン製等のネットを袋状に展開するように予め固定して捕捉ネットとし、この捕捉ネットを第二の枠体に固定して用いてもよい。
【００３６】
また、枠体２を構成する保持部６は、第二の枠体５を液体の流れ方向９に垂直となるように第一の枠体４に保持するものであり、晴天時及び通常の降雨時のような、本実施の形態の夾雑物除去装置１の処理能力の限界を超えない程度の水量が流入する場合には、第二の枠体５を液体の流れ方向９に垂直となるように保持する。これにより、第二の枠体５に配設された捕捉ネット３によって、汚水と雨水とが混合した下水等の液体に含まれる夾雑物を良好に除去することができる。
【００３７】
例えば、夾雑物除去装置の第二の枠体が液体の流れ方向に垂直となるように完全に固定されていると、降雨が激しくなり雨水の量が増加した場合や、除去した夾雑物によって徐々に濾過抵抗が増大した場合には、夾雑物除去装置に流入する液体に対して排水が追いつかなくなり、流入した下水が夾雑物除去装置を超えて下流側に流れ出してしまう。このような場合には、夾雑物除去装置が破損したり、下流側の安全性の面でも問題が生じることとなる。このため本実施の形態の夾雑物除去装置１は、第二の枠体５を保持する保持部６の保持力を、夾雑物除去装置１の処理能力の限界を超えない程度の量の液体が流入する状態において第二の枠体５に掛かる応力と同程度とし、これを超えた場合には、保持部６の保持が解除されるように構成することが好ましい。
【００３８】
例えば、図１に示す夾雑物除去装置１においては、流路７の断面における略四分の一の位置まで枠体２が配設されていることから、保持部６の保持力を、流路７の断面の略四分の一近傍まで水位が上昇した際に第二の枠体５に作用する応力と同程度に調整することが好ましい。
【００３９】
このため、本明細書における、第二の枠体に作用する応力の「所定の値」とは、捕捉ネット３を介して第二の枠体５に作用する応力が、第二の枠体５を保持する保持部６の保持力と同等になる応力の値のことである。本形態の夾雑物除去装置１においては、上述したように流入する液体の量が装置の処理能力の限界を超える前に保持部６の保持が解除されるように調整されているので、第二の枠体５に作用する応力が上述した所定の値を超えた場合、換言すれば、保持部６の保持力の値を超えた場合には、保持部６の保持が解除されて、第二の枠体５がその応力により液体の流れ方向９に向けて可動する。
【００４０】
例えば、台風等の襲来により降雨量が非常に多くなり、流入する液体の水量が夾雑物除去装置１の処理能力の限界を超えた場合（図１においては、流路７の断面の四分の一を超える水量の液体が流入した場合）には、第二の枠体５に作用する応力が保持部６の保持力を超えて第二の枠体５の保持が解除される。
【００４１】
第二の枠体５の保持が解除されることにより、液体の流れによって生じる応力により、第一の枠体４の上方の両端部にて接続された部位（図１においてはシャフト１１）を軸として、第二の枠体５の底側の部分が上方側に押出され、第二の枠体５が液体の流れ方向９に向けて可動する。
【００４２】
このように、第二の枠体５と、この第二の枠体５に配設された捕捉ネット３とは、液体の流れによる応力の程度によっても異なるが、保持部６による保持が解除されたことにより、液体の流れ方向９と並行になるように移動する。これにより捕捉ネット３が抵抗となり、夾雑物除去装置１によって放出が遮られていた大量の液体は、捕捉ネット３を経由せずに下流側にそのまま放出され、流路７の安全が確保される。なお、液体の水量が徐々に減少してくると、押し上げられていた第二の枠体５は元の位置まで戻ってくる。
【００４３】
本実施の形態の夾雑物除去装置１に用いられる保持部６としては、例えば、図４に示すように、樹脂製の係止突起８（例えば、止めピン）を挙げることができる。このような係止突起８を、第一の枠体４と第二の枠体５とが対向する部位に配設して、第二の枠体５を第一の枠体４に保持する。
【００４４】
例えば、係止突起８としてはポリカーボネート製のネジを用いることができる。このポリカーボネート製のネジを用いる場合には、第一の枠体４にポリカーボネート製のネジが挿入可能な口径の貫通孔を形成し、第二の枠体５にポリカーボネート製のネジに対応するネジ孔を形成する。なお、第一の枠体４の貫通孔は、ポリカーボネート製のネジを挿入した際に、ネジ頭の部分が引っ掛かるような大きさとすることが好ましい。
【００４５】
第二の枠体５を第一の枠体４に保持する際には、第一の枠体４の貫通孔と第二の枠体５のネジ孔とを重ね合わせ、第一の枠体４側からポリカーボネート製のネジを嵌め合わせて第二の枠体５を保持する。
【００４６】
このように構成することによって、第二の枠体５を第一の枠体４に良好に保持することができるとともに、大量の降雨等により第二の枠体５に所定の値の応力が掛かった場合には、そのせん断応力によりポリカーボネート製のネジが切断され、第二の枠体５の保持が解除される。
【００４７】
係止突起８として用いるネジとしては、上記したポリカーボネート以外の材料から構成されたものを用いることも可能であるが、第二の枠体５に掛かる所定の値の応力によって生じるせん断応力により切断されるものであることが好ましく、また、このネジは、切断の度に交換する必要があることから、比較的安価であり、入手の容易なポリカーボネート製のネジを好適に用いることができる。
【００４８】
図４に示すような保持部６を構成する係止突起８においては、その機械的強度や大きさを調節することにより、保持が解除される際の応力の値を調整することができる。例えば、上述したポリカーボネート製のネジを係止突起８として用いる場合には、このネジの太さ調節して係止部分が切断される際の応力の値を調整することができる。
【００４９】
なお、本実施の形態の夾雑物除去装置１の保持部６としては、上述した係止突起８として上述したネジ（ポリカーボネート製のネジ）を好適に用いることができるが特に限定されることはない。
【００５０】
第二の枠体５の保持が解除される応力の具体的な値については、例えば、本実施の形態の夾雑物除去装置１を配設する流路７の断面の大きさ、第二の枠体５の大きさ（即ち、実際に応力が掛かる部分の大きさ）、捕捉ネット３の網目の大きさ、また、夾雑物除去装置１を配設する下水道等における安全基準等を考慮して適宜決定することができる。
【００５１】
例えば、本実施の形態の夾雑物除去装置１を一般的な合流式下水道の吐口近傍に配設する場合には、合流式下水道の断面の大きさや、合流式下水道を通過する下水の水位や水量に応じて適宜決定することができ、また、過去の台風襲来時の降雨量やその際の水位等を参考にし、合流式下水道及びその周辺環境における安全基準等を考慮して決定することができる。
【００５２】
図１においては、枠体２の大きさが、流路７の断面における略四分の一の大きさのものであるが、例えば、流路７の断面の三分の一や半分程度の大きさのものであってもよい。本実施の形態の夾雑物除去装置１は、流路７を通過する液体に含まれる夾雑物を除去するための装置であることから、流路７を通過する液体の予想される最高水位以上の堰高となるような大きさのものとすることが好ましい。例えば、合流式下水道の吐口近傍に配設する場合には、過去の台風襲来時における水位以上の堰高となるような大きさのものとすることが好ましい。
【００５３】
また、図１〜図４に示す夾雑物除去装置１は、第一の枠体４の上方の両端部にて第二の枠体５が揺動可能に接続されており、第二の枠体５の保持が解除された場合には、第一の枠体４の上方の両端部にて接続された部位を結ぶ直線を軸として、第二の枠体５が流路７の底側から上方側（天井側）に向けて揺動するものであるが、例えば、図６〜図１０に示すように、第二の枠体５が、流路７の上方側から底側に延びるシャフト１１等の軸受けによって揺動可能に接続され、第二の枠体５の保持が解除された場合には、この流路７の上方側（天井側）から底側に延びるシャフト１１を軸として、第二の枠体５が、流路７の側面側から流路７の中央側に向かって揺動するものであってもよい。
【００５４】
ここで、図６は、本考案の夾雑物除去装置の一の実施の形態の他の例を模式的に示す平面図であり、図７は、図６に示す夾雑物除去装置を上方から見た平面図である。また、図８は、図６に示す夾雑物除去装置における、第一の枠体と第二の枠体との接続部分の上部を拡大した拡大図であり、図９は、図６に示す夾雑物除去装置における、第一の枠体と第二の枠体との接続部分を流路の上方から見た拡大図、さらに、図１０は、図６に示す夾雑物除去装置における、第一の枠体と第二の枠体との接続部分の下部を拡大した拡大図である。なお、図６〜図１０において、図１に示す各要素と同様に構成されているものについては、同一の符号を付して説明を省略する。
【００５５】
図６〜図１０に示す夾雑物除去装置１においては、第一の枠体４が、流路７の中心部分において、この流路７の上方側（天井側）と底側とにおいてアンカー１０によって固定された柱状の枠体であり、この柱状の第一の枠体４の両端に、鉛直方向に延びるシャフトによって、捕捉ネット３が配設された第二の枠体５がそれぞれ揺動可能に接続されている。
【００５６】
本実施の形態の夾雑物除去装置１においては、捕捉ネット３を介して第二の枠体５に作用する応力が所定の値を超えた際に、柱状の第一の枠体４に接続された二個の第二の枠体５が、流路７の側面側から流路の中央側に向かって揺動する。これにより、第二の枠体５及び第二の枠体５に配設された捕捉ネット３によって放出が遮られていた大量の液体は、第二の枠体５が可能して形成された隙間から、捕捉ネット３を経由せずに下流側にそのまま放出される。
【００５７】
また、これまで図１〜図１０に示した夾雑物除去装置１は、断面の形状が円形の流路７に配設するための夾雑物除去装置１を示しているが、例えば、図１１及び図１２に示すように、断面の形状が多角形（図１１及び図１２においては四角形）の流路７に配設するための夾雑物除去装置１であってもよい。ここで、図１１は、本考案の夾雑物除去装置の一の実施の形態の他の例を模式的に示す平面図であり、図１２は、図１１に示す夾雑物除去装置を上方から見た平面図である。なお、図１１及び図１２において、図１に示す各要素と同様に構成されているものについては、同一の符号を付して説明を省略する。
【００５８】
図１１及び図１２に示す夾雑物除去装置１は、図６及び図７に示す夾雑物除去装置１と同様に、第一の枠体４が、流路７の中心部分において、その上方側（天井側）と底側とにおいて流路７の内部に固定された柱状の枠体であり、この柱状の第一の枠体４の両端に、捕捉ネット３が配設された第二の枠体５がそれぞれ揺動可能に接続された夾雑物除去装置１である。
【００５９】
このため、図１１及び図１２に示す夾雑物除去装置１においても、捕捉ネット３を介して第二の枠体５に作用する応力が所定の値を超えた際には、第二の枠体５の保持が解除され、柱状の第一の枠体４に接続された二つの第二の枠体５が、流路７の側面側から流路７の中央側に向かって可動（揺動）して、第二の枠体５が可動してできた隙間から、放出が遮られていた大量の液体が下流側に安全に放出される。
【実施例】
【００６０】
以下、本考案を実施例により具体的に説明するが、本考案はこれに限定されるものではない。
【００６１】
図１〜図３に示すような夾雑物除去装置１を製造し、流路断面積が２０００ｍｍの合流式下水道（流路７）の吐口に配設した。本実施例の夾雑物除去装置１においては、過去１０年間の平均的な降雨における最大水位が５００ｍｍ程度であったことから、夾雑物除去装置１の堰高（合流式下水道の底からの高さ）を５００ｍｍとした。
【００６２】
夾雑物除去装置１の枠体２を構成する第一の枠体４及び第二の枠体５は、ステンレスを用いて作製した。第二の枠体５は、その上方側においてシャフト１１によって第一の枠体４に揺動可能に接続した。
【００６３】
第二の枠体５を第一の枠体４に保持する保持部６としては、ポリカーボネート製のネジ（係止突起８）を、第一の枠体４に形成した貫通孔と第二の枠体５に形成したネジ孔とに挿入する構造とした。
【００６４】
捕捉ネット３は、ポリエチレン製の網目４ｍｍの袋状の網を、捕捉ネット用の枠体に折り畳んで固定したものを用いた。袋状の網を捕捉ネット用の枠体に固定する際には、捕捉ネット３が下水に含まれる夾雑物を捕捉する際に袋状に展開するように、まず、網の上端を捕捉ネット用の枠体の上端に位置合わせした後、網の下端を捕捉ネット用の枠体の下端に位置合わせして、この上端及び下端を仮留し、次に、網の中央部分を波状に折り込んだ後、網の下端の両側を捕捉ネット用の枠体の形状に沿って上端側まで位置合わせし、最後に、この網を捕捉ネット用の枠体に押しつけた状態で、捕捉ネット用の枠体の各所においてネジを用いて固定した。
【００６５】
（実施例１）
本実施例の夾雑物除去装置を用いて、時間最大降雨１１．５ｍｍ、降雨継続時間１０時間の降雨における上記の合流式下水道を通過する下水に含まれる夾雑物の除去を行った。本実施例においては、時間最大降雨が多くまた降雨継続時間が長かったことから、第二の枠体に作用する応力によって生じたポリカーボネート製のネジに掛かるせん断応力が、このポリカーボネート製のネジの引張り強さを超えたために、ポリカーボネート製のネジが切断されて保持が解除されていた。第二の枠体の保持が解除された後、第二の枠体は下水の流れ方向に向けて、シャフトを軸として可動し、捕捉ネットを経由せずに下水を排出していた。
【００６６】
捕捉ネットには、既にトイレットペーパーや落ち葉等の夾雑物や油分が大量に捕捉されており、第二の枠体が下水の流れ方向に向けて可動した後も、袋状に展開した部分に夾雑物等は収まっており、再度下流側に夾雑物等が流出することはなかった。
【００６７】
降雨がおさまった後、本実施例の夾雑物除去装置の捕捉ネットを取り外して状態を確認したところ、網自体の伸びやたるみは多少確認されたものの、網目の破れ、捕捉ネット用の枠体の損傷や変形等は確認されなかった。また、合流式下水道に固定した枠体においても破損や変形等は確認されなかった。
【００６８】
このように本実施例においては、下水に含まれる夾雑物を良好に除去することができ、また、降雨が多くなり、第二の枠体に作用する応力が大きくなった際には、保持部を構成するポリカーボネート製のネジが切断されることによって第二の枠体の保持が解除されて、下水を安全に下流側に放流することができた。また、第二の枠体の保持が解除されることにより、第二の枠体に掛かる応力（ひいては、夾雑物除去装置全体に掛かる応力）が軽減したため、枠体や捕捉ネットの破損や変形等も防止することができた。
【００６９】
（実施例２）
実施例１に用いた夾雑物除去装置の捕捉ネットと保持部を構成するポリカーボネート製のネジとを新品のものに交換し、時間最大降雨７ｍｍ、降雨継続時間９時間の降雨における下水に含まれる夾雑物の除去を行った。本実施例においては、時間最大降雨が比較的に少なかったことから、ポリカーボネート製のネジは切断されず、第二の枠体は降雨がおさまるまで第一の枠体に保持されていた。
【００７０】
捕捉ネットには、トイレットペーパーや落ち葉等の夾雑物が大量に捕捉されており、また、袋状に展開した捕捉ネットの底部には黒色のヘドロが溜まっていた。さらに、捕捉ネットには大量の油分も捕捉されていた。
【００７１】
降雨がおさまった後、本実施例の夾雑物除去装置の捕捉ネットを取り外して状態を確認したところ、網自体の伸びやたるみは多少確認されたものの、網目の破れ、捕捉ネット用の枠体の損傷や変形等は確認されなかった。また、合流式下水道に固定した枠体においても破損や変形等は確認されなかった。
【産業上の利用可能性】
【００７２】
本考案の夾雑物除去装置は、夾雑物が混入した液体から夾雑物を除去する装置として、特に、合流式下水道の吐口等の設置し、汚水と雨水とが混合した大量の下水等から夾雑物を除去するための夾雑物除去装置として好適に用いることができる。
【図面の簡単な説明】
【００７３】
【図１】本考案の夾雑物除去装置の一の実施の形態を模式的に示す平面図である。
【図２】図１に示す夾雑物除去装置のＡ−Ａ線断面図である。
【図３】図１に示す夾雑物除去装置のＢ部拡大図である。
【図４】図２に示す夾雑物除去装置のＣ部拡大図である。
【図５】図２に示す夾雑物除去装置において、捕捉ネットが袋状に展開した状態を示す断面図である。
【図６】本考案の夾雑物除去装置の一の実施の形態の他の例を模式的に示す平面図である。
【図７】図６に示す夾雑物除去装置を上方から見た平面図である。
【図８】図６に示す夾雑物除去装置における、第一の枠体と第二の枠体との接続部分の上部を拡大した拡大図である。
【図９】図６に示す夾雑物除去装置における、第一の枠体と第二の枠体との接続部分を流路の上方から見た拡大図である。
【図１０】図６に示す夾雑物除去装置における、第一の枠体と第二の枠体との接続部分の下部を拡大した拡大図である。
【図１１】本考案の夾雑物除去装置の一の実施の形態の他の例を模式的に示す平面図である。
【図１２】図１１に示す夾雑物除去装置を上方から見た平面図である。
【符号の説明】
【００７４】
１：夾雑物除去装置、２：枠体、３：捕捉ネット、４：第一の枠体、５：第二の枠体、６：保持部、７：流路、８：係止突起、９：液体の流れ方向、１０：アンカー、１１：シャフト。
【図１】
0003118714.tif 000003
【図２】
0003118714.tif 000004
【図３】
0003118714.tif 000005
【図４】
0003118714.tif 000006
【図５】
0003118714.tif 000007
【図６】
0003118714.tif 000008
【図７】
0003118714.tif 000009
【図８】
0003118714.tif 000010
【図９】
0003118714.tif 000011
【図１０】
0003118714.tif 000012
【図１１】
0003118714.tif 000013
【図１２】
0003118714.tif 000014